(57)【要約】【課題】エレベーター設備に関する仕様に関する利用者への影響や利用者の行動に関する影響をより正確に評価すること。【解決手段】エレベーター設備設定部によってエレベーター設備に関して設定されるエレベーター情報と、ビル情報設定部によってビル全体に関して設定されるビル情報とに応じた行動を取るように利用者がシミュレーション上に発生される。この状態でシミュレーションが実施される。これにより、エレベーター設備に関する仕様に関する利用者への影響や利用者の行動に関する影響をより正確に評価することができる。【選択図】図１
2018167966.tif 000002
【特許請求の範囲】
【請求項１】
エレベーター設備に関するエレベーター情報を設定するエレベーター設備設定部と、
ビル全体のビル仕様に関するビル情報を設定するビル情報設定部と、
前記エレベーター設備において模擬的に発生させる利用者の発生時間、発生階、目的階及び属性を含む利用者情報を設定する利用者設定部と、
前記利用者の行動を制御するビル内利用者制御部と、
前記エレベーター設備を制御することにより運行を管理するエレベーター制御部と、
前記ビル内利用者制御部から前記エレベーター制御部に対してサービス要求を行う入力装置と、
前記サービス要求に対する結果を出力する乗り場出力装置と、
を備え、
前記ビル内利用者制御部は、
前記エレベーター情報及び前記ビル情報に応じた行動を取るように模擬的に前記利用者を発生させつつシミュレーションを実施する
ことを特徴とするエレベーターシミュレーター。
【請求項２】
前記シミュレーションの結果として、前記エレベーター情報、前記利用者ごとに登録までに要した時間、移動時間、余分な移動に費やした時間、乗り場待ち時間、及び、前記利用者がエレベーターに乗車してから降車するまでの乗車時間の少なくともいずれか１つを出力する総合評価出力部を備える
ことを特徴とする請求項１に記載のエレベーターシミュレーター。
【請求項３】
前記ビル内利用者制御部は、
実際に稼働している他のビルに関するビル全体のビル仕様に関する他のビル情報及び前記他のビルのエレベーター設備に関する他のエレベーター情報のうち、前記ビル情報及び前記エレベーター情報に最も近い設定である特定ビル情報及び特定エレベーター情報を選定し、前記特定ビル情報及び前記特定エレベーター情報に基づいて、前記利用者情報を設定する
ことを特徴とする請求項１に記載のエレベーターシミュレーター。
【請求項４】
前記ビル情報設定部及び前記エレベーター設備設定部は、
過去に実施したシミュレーションの結果のうち、前記ビル情報及び前記エレベーター情報に最も近い設定である特定ビル情報及び特定エレベーター情報を選定し、前記特定ビル情報に基づくビル仕様、及び、前記特定エレベーター情報に基づくエレベーター設備を設定する
ことを特徴とする請求項１に記載のエレベーターシミュレーター。
【発明の詳細な説明】
【技術分野】
【０００１】
本発明は、エレベーターシミュレーターに関し、特に、エレベーター設備に応じたシミュレーションを実施するエレベーターシミュレーターに適用して好適なものである。
【背景技術】
【０００２】
従来のエレベーターシミュレーターは、所定条件で抽出した推薦候補と、推薦対象ビル設備の稼動履歴データ、ビル設備状況データ及びビル設備パラメータオプションデータとに基づいて、上記推薦対象ビル設備に対して上記推薦対象を適用した場合におけるシミュレーションによる評価を行い、必要に応じて推薦候補を出力する（特許文献１参照）。
【先行技術文献】
【特許文献】
【０００３】
【特許文献１】特開２０１２−２２６４６０号公報
【発明の概要】
【発明が解決しようとする課題】
【０００４】
しかしながら、従来のエレベーターシミュレーターでは、ビル設備自体の設置による影響を評価できたとしても、エレベーター設備の仕様に関する利用者への影響や利用者の行動に関する影響を評価することができなかった。そのため、ビル設備の設置計画時に十分な検討が必要となり、ビル設備の設置計画時に多大な時間を要していた。一方、ビル設備の設置計画時における検討が不十分な場合、利用者の使い勝手が悪くなり、これをカバーしようとするとビル内に警備員等による案内を実施するなど運用面でのカバーが必要となり、本来不要であった人件費が余分に発生してしまうおそれがある。
【０００５】
本発明は以上の点を考慮してなされたもので、ビル設備の設置による影響のみならず、エレベーター設備に関する仕様に関する利用者への影響や利用者の行動に関する影響をより正確に評価することができるエレベーターシミュレーターを提案しようとするものである。
【課題を解決するための手段】
【０００６】
かかる課題を解決するため、本発明においては、エレベーター設備に関するエレベーター情報を設定するエレベーター設備設定部と、ビル全体のビル仕様に関するビル情報を設定するビル情報設定部と、前記エレベーター設備において模擬的に発生させる利用者の発生時間、発生階、目的階及び属性を含む利用者情報を設定する利用者設定部と、前記利用者の行動を制御するビル内利用者制御部と、前記エレベーター設備を制御することにより運行を管理するエレベーター制御部と、前記ビル内利用者制御部から前記エレベーター制御部に対してサービス要求を行う入力装置と、前記サービス要求に対する結果を出力する乗り場出力装置と、を備え、前記ビル内利用者制御部は、前記エレベーター情報及び前記ビル情報に応じた行動を取るように模擬的に前記利用者を発生させつつシミュレーションを実施することを特徴とする。
【発明の効果】
【０００７】
本発明によれば、ビル設備の設置による影響のみならず、ビル設備の仕様に応じた利用者の行動の変化による影響をより正確に評価することができる。
【図面の簡単な説明】
【０００８】
【図１】本実施の形態によるエレベーターシミュレーターのシステム構成図である。
【図２】本実施の形態による利用者発生処理の一例を示すフローチャートである。
【図３】本実施の形態による登録判定処理の一例を示すフローチャートである。
【図４】本実施の形態による装置登録処理の一例を示すフローチャートである。
【図５】図４に示す装置利用者待機処理の一例を示すフローチャートである。
【図６】図４に示す行先階登録処理の一例を示すフローチャートである。
【図７】図６に示す割当て号機待機処理の一例を示すフローチャートである。
【図８】図６に示す利用者更新処理の一例を示すフローチャートである。
【図９】図８に示す乗り場歩行処理の一例を示すフローチャートである。
【図１０】図９に示す歩行判定処理の一例を示すフローチャートである。
【図１１】図９に示すホール待機処理の一例を示すフローチャートである。
【図１２】本実施の形態による整列待機処理の一例を示すフローチャートである。
【図１３】本実施の形態によるゲート連動仕様のシミュレーション時のレイアウト図である。
【図１４】本実施の形態によるゲート連動仕様のシミュレーション時のレイアウト図である。
【図１５】本実施の形態によるゲート連動仕様のシミュレーション時のレイアウト図である。
【図１６】本実施の形態による上下式乗り場ボタン仕様のホールランタン点灯仕様のシミュレーション時のレイアウト図である。
【図１７】本実施の形態による上下式乗り場ボタン仕様のホールランタン非点灯仕様のレイアウト図である。
【図１８】本実施の形態による上下式乗り場ボタン仕様の車イス仕様のシミュレーション時のレイアウト図である。
【図１９】本実施の形態による上下式乗り場ボタン仕様の車イス仕様のシミュレーション時のレイアウト図である。
【発明を実施するための形態】
【０００９】
以下、図面について、本発明の一実施の形態について詳述する。
（１）システム構成
図１は、本実施の形態に係るシミュレーションシステム１００の概略構成例を示す。
【００１０】
シミュレーションシステム１００は、利用者設定部１、ビル情報設定部２、エレベーター設備設定部３、エレベーター仕様設定部４及び時間帯設定部５、並びにシミュレーション部１０を備える。シミュレーション部１０は、ビル内利用者制御部１１、入力装置１２、エレベーター群管理制御部１３、エレベーター制御部１４、乗り場出力装置１５、エレベーター１６及び総合評価出力部１７を備える。
【００１１】
利用者設定部１は、利用者に関する情報を設定する機能を有する。この利用者に関する情報としては、例えば、利用者がエレベーターホールへ進入する階床を設定する発生階、エレベーターの利用に伴って設定される目的の階床を表す目的階、一般利用者であるか車いす利用者であるかＶＩＰ利用者であるかなどを表す利用者属性、ホール内を歩行する利用者の歩行速度、発生階若しくは目的階毎の利用者の発生割合等を設定するための発生分布などを挙げることができる。
【００１２】
ビル情報設定部２は、ビル情報を設定する機能を有する。このビル情報としては、例えば、ビルの階床数、階床間の距離を挙げることができる。ビル情報としては、ビルの各フロアの各オフィスに各々何名の利用者が在席するかを表す在館人員数、各階床におけるビル仕様、ロビー階、駐車場階、及び共用フロアなどの情報が挙げられる。
【００１３】
エレベーター設備設定部３は、エレベーター設備に関するエレベーター情報を設定する機能を有する。このエレベーター設備としては、例えば、設置台数６台の乗りかご（以下単に「かご」ともいう）と、エレベーターかごのフロアにおける設置位置と、入力装置として乗り場で行先階を登録する行先階登録装置と、乗り場から上方階行きか下方階行きかに応じてサービス要求を行う上下式乗り場ボタンと、乗り場入口に設置されたゲートの通過時に行先階の登録が可能なゲート連動設備と、出力装置としてエレベーターの到着時の方向案内の他エレベーターを予約した際の予約号機及び予約方向を案内するホールランタンと、を備え、乗り場で行先階を登録した際に乗り場にて各号機の停止予定階を案内する行先階停止階等をフロアのどの位置に設置するかについて設定可能とする。
【００１４】
エレベーター仕様設定部４は、設置されたエレベーター設備の仕様を設定する機能を有する。このエレベーター設備の仕様としては、例えば、エレベーターの速度、ドアの幅及び定員数などが挙げられる。さらに、エレベーター設備の運転仕様としては、乗り場ボタンからサービス要求を発行した瞬間にこのサービス要求に応じて決定された号機のエレベーターランタンを点灯させる即時予約機能の有無などが挙げられる。
【００１５】
時間帯設定部５は、シミュレーションを実施する時間帯を設定する機能を有する。一般的にビル内のエレベーター稼働状況は時間帯毎に異なる。例えば、出勤時間帯では、ビル内に利用者が流入するケースが多くなり利用者の動きとしては、ロビー階から各利用者の在席階を目的階として利用される。昼食時間帯の前半では、ビル内に食堂階や飲食店が存在するフロアがある場合には各利用者の在席階から食堂階や飲食店が存在するフロアへ移動する利用者が多くなる。退勤時間帯では、出勤時間帯とは逆に、各利用者の在席階からロビー階へ移動する利用者が多く存在する。
【００１６】
時間帯設定部５及び利用者設定部１における発生階、目的階毎の利用者の発生割合等を設定する発生分布は互いに関連するように設定される。ここで、利用者の発生割合を設定する方式としては、時間帯が設定されると発生割合を自動的に設定する方式、逐次任意の時間帯毎に利用者の発生分布を設定する方式、ビルの用途に応じて時間帯毎の発生分布を決定する方式、又は、過去の類似ビル仕様の現地計測データに基づいて時間帯毎の発生分布を決定する方式を採用しても良い。
【００１７】
時間帯が設定されると発生割合を自動的に設定する方式では、例えば、時間帯が出勤時間帯であると設定された場合、各階の在館人員数に応じてロビー階から各階への利用者の発生割合が設定される。具体的には、出勤時間帯８：１５〜８：４５の３０分間においてロビー階から各階へ向かう利用者の発生割合を４０％と設定した場合、５階の在館人員が１００名であり、かつ、４階の在館人員が８０名であった場合、ロビー階から５階行きの利用者が４０名発生するとともに、４階行きの利用者が３２名発生することになる。
【００１８】
逐次任意の時間帯毎に利用者の発生分布を設定する方式では、時間帯毎に発生階及び目的階毎の利用者の発生割合が設定される。具体的には、出勤時間帯８：１５〜８：３０の間ではロビー階からその他の階へ向かう利用者の発生割合は１５％であり、時間帯８：３０〜８：４５の間ではロビー階からその他の階へ向かう利用者の発生割合は２５％であるというように設定される。なお、時間帯の幅は任意で設定可能であり、発生分布の設定値も割合で設定したり、詳細に階床別に設定するようにしても良い。
【００１９】
このような設定方式では、例えば、ロビー階から発生する利用者が２００名、１階から発生する利用者が１０名、及び、４階への利用者が８０名、５階への利用者が１３０名と設定したり、より具体的に、ロビー階から５階への利用者が１２５名、ロビー階から４階への利用者が７５名、１階から４階への利用者が５名、１階から５階への利用者が５名と詳細に設定するようにしても良い。
【００２０】
ビル用途に応じて時間帯毎に発生分布を決定する方式では、前述した時間帯が設定されると発生割合を自動的に設定する方式においてビル用途に応じて設定値が変動する。このビル用途としては、例えば、オフィスビル、高層住宅（コンドミニアム）、ホテルまたは雑居ビルを挙げることができる。出勤時間帯を例示すると、オフィスビルでは、ロビー階から各階へ向かう利用者の流れが一般的であるが、高層住宅（コンドミニアム）では、その逆に、各階からロビー階へ向かう利用者の流れが多くなる。さらに、時間帯もオフィスビルとは異なるため、ビル用途によって時間帯及び発生分布も変動する。
【００２１】
これらの情報設定が完了すると、シミュレーションが実行可能となる。シミュレーションを実行するためのシミュレーション部１０は、システム時間を常に更新しており、後述するシミュレーションのために、発生した利用者のフロア移動及びエレベーター１６への乗降を制御するビル内利用者制御部１１と、ビル内利用者制御部１１からエレベーターへのサービス要求を設定するための入力装置１２と、サービス要求に応じて運行管理を実施するエレベーター群管理制御部１３と、エレベーター群管理制御部１３より受けたサービス要求に対してエレベーターかごを制御或いはドアの戸開閉を制御するエレベーター制御部１４と、エレベーター群管理制御部１３またはエレベーター制御部１４から利用者への案内を実施する乗り場出力装置１５と、利用者が乗降するエレベーター１６とを含んでいる。なお、本実施の形態において「利用者」とは、シミュレーション上発生させる利用者のことを表している。
【００２２】
エレベーター群管理制御部１３は、シミュレーション部１０のシステム時間がシミュレーション終了時間に達したことを契機に、最終的に総合評価出力部１７によって設定されたシミュレーション条件における評価を出力する。本評価は、ビル内利用者制御部１１から出力される利用者一人一人の乗り場に到着してからエレベーターに乗車するまでのエレベーター待ち時間、エレベーターに乗車してから降車するまでの乗車時間、乗り場に到着してから目的階まで辿り着くまでのサービス完了時間を含む。その他にも、本評価は、例えば６０秒以上のエレベーター待ち時間を長い待ち時間と定義した場合、全体の発生した利用者の人数に対して長い待ち時間となった利用者の人数がどの程度存在したかを表す指標としての長待ち率を出力したり、シミュレーション時間中の乗り場にてエレベーターを待っている最大利用者数を示す最大待ち人数が出力される。
【００２３】
エレベーター群管理制御部１３は、各入力装置１２が入力された時間に基づいて、入力された階床へ各エレベーター１６のうちの乗りかごが到着するまでに掛かった時間、例えばエレベーター１６に利用者が乗車後乗りかご内の行先ボタンを押下して目的階を入力してから目的位置まで到着するまでにかかった時間、入力装置１２で入力した数などシミュレーション時間中の平均時間、最大時間、及び最小時間などの評価を出力する。
【００２４】
エレベーター群管理制御部１３から出力した評価は、群管理仕様ではない場合、または、エレベーター１台のみのシミュレーションを行う場合、エレベーター制御部１４より出力される。
【００２５】
ビル内利用者制御部１１は、利用者の発生から乗り場での利用者の動きを具体的に再現するため、機器に応じた動作及び時間管理を実施する。エレベーター設備設定部３及びエレベーター仕様設定部４によって設定された機器及び仕様に応じてエレベーター出力状況が変化することにより、それらの動きは当該出力状況に応じて変化する。それらの動きについては、後述する（図２〜１２参照）。
【００２６】
入力装置１２は、例えば、上下式乗り場ボタン及び乗り場行先階登録装置に相当する。エレベーター設備設定部３によって設定することにより、乗り場における入力装置１２の位置は、乗り場レイアウトに応じて任意の座標に設定可能である。入力装置１２は、対象とする装置ごとに入力に必要なデータが異なるが、それらは全て利用者情報に含まれるデータが入力される。
【００２７】
例えば、入力装置１２が上下式乗り場ボタンである場合、この入力装置１２による入力情報は、乗り場階から上方階へのサービス要求か下方階へのサービス要求かを表すデータであるため、利用者情報、発生階情報及び目的階情報に基づいて、各利用者ごとに上方向へのサービス要求か下方階へのサービス要求かが判定される。ここで、入力情報は、シミュレーション部１０内においてビル内利用者制御部１１と入力装置１２との間などで共有する共有メモリに格納される。
【００２８】
行先階登録装置を用いる仕様またはゲート連動仕様である場合、上方階または下方階という方向に関する入力情報ではなく、利用者の目的階及び利用者属性が入力情報となる。この入力情報は、シミュレーション部１０内に設けられた共有メモリに格納される。上下式乗り場ボタンの場合と比較すると、情報量は多くなり、エレベーター設備設定部３によって機器が決定されると、共有メモリに各入力装置１２による入力情報に対応したデータサイズが確保される。
【００２９】
エレベーター群管理制御部１３は、ビル情報設定部２、エレベーター設備設定部３及びエレベーター仕様設定部４による設定情報に基づいて、自動的に群管理仕様を設定する。エレベーター群管理制御部１３は、例えば、階床間距離の設定の他、エレベーター台数及びエレベーター速度など入力装置１２に対して最適なエレベーターの選択を行う際に、待ち時間の最小化を目的とするため到着予測時間の算出に必要なパラメータなど実際の制御に使用されるパラメータを、各設定情報から自動的に抽出して設定する。
【００３０】
エレベーター群管理制御部１３は、各仕様に応じたエレベーターの運行管理を実施する。例えば入力装置１２として車イス仕様の上下式乗り場ボタンが設置されている場合、エレベーター群管理制御部１３は、上下式乗り場ボタンに近接するエレベーターのみを割り当て号機とするよう制御する。また、例えば入力装置１２としてＶＩＰ仕様の乗り場ボタンが設置されている場合、エレベーター群管理制御部１３は、特定の号機をＶＩＰ号機とみなし、当該ＶＩＰ号機に対しては新規のサービス要求には応じないように制御する。一方、入力装置１２として行先階登録装置が設置されている場合、エレベーター群管理制御部１３は、乗り場から行先階が分かることから、行先階に応じた停止階の数を抑制するように制御する。これにより、輸送能力を高めた運転を行うことができる。
【００３１】
その他、エレベーター群管理制御部１３は、予め設定されたエレベーター仕様に応じて制御することも可能である。このエレベーター群管理制御部１３は、例えば上下式乗り場ボタンの押下時に、即時にホールランタンを点灯させる仕様であるか点灯させない仕様であるかに応じて、乗り場出力装置１５としてのホールランタンの点灯状態、消灯状態または点滅状態を切り替えるよう制御する。
【００３２】
エレベーター制御部１４は、主にエレベーター単体の制御を実施し、ドアの開閉制御、エレベーターの停止、出発、加速、減速及び走行処理を制御する。エレベーター群管理制御部１３の場合と同様に、エレベーター仕様設定部４によって設定された情報に基づいて、自動的にエレベーター仕様が設定される。例えば、階床間距離の設定またはエレベーター速度などのような前述した制御に関連するパラメータが自動的に設定される。
【００３３】
エレベーター１６は、利用者が乗降する乗りかごなどを含む設備の総称であり、エレベーター制御部１４の指令に応じてドアの開閉状態及びかごの状態などが変化される。なお、このエレベーター１６には、行き先階の登録を管理する行き先階予約システムが対応付けられている。
【００３４】
総合評価出力部１７では、シミュレーション結果を纏めて出力する。このシミュレーション結果には、ビル内利用者制御部１１から出力される情報、例えば、エレベーター情報、各利用者が乗り場に到着してからエレベーターに乗車するまでの待ち時間、利用者がエレベーターに乗車してから降車するまでの乗車時間、及び、利用者が乗り場に到着してから目的階に辿り着くまでのサービス完了時間の少なくとも１つが含まれている。本実施形態では、６０秒以上のエレベーター待ち時間が長い待ち時間と定義される。総合評価出力部１７は、例えば、全体として発生された利用者の人数に対して長い待ち時間となった利用者の人数がどの程度存在したかを示す確率（長待ち率）を出力したり、シミュレーション時間中の乗り場にてエレベーターを待っている最大利用者数を示す最大待ち人数を出力する。
【００３５】
さらに総合評価出力部１７は、各入力装置１２による入力時間から、入力により登録された目的階へ各エレベーター１６がサービスするまでに掛かった時間、エレベーター１６での目的階入力された時間から目的位置まで到着するまでに掛かった時間、入力装置１２を入力した数などシミュレーション時間中の平均時間、最大時間及び最小時間を出力する。
【００３６】
その他にも、総合評価出力部１７は、ビル情報毎にシミュレーションを実施した時間帯における利用者ごとに登録までに要した時間、余分に移動に費やした時間、乗り場での待ち時間及び乗車時間などの利用者の待ちに対する時間を評価して出力したり、登録時の最大登録待ち人数、乗り場での最大待ち人数など、利用者の待ちに対する時間などの待ちに対する人数を評価して出力しても良い。
【００３７】
（２）シミュレーション例
図２は、利用者発生処理の手順の一例を示す。本処理は、ビル内利用者制御部１１によって実行される。本処理では、シミュレーション部１０によって更新されるシステム時間に従ってシミュレーション上の利用者を発生させている。
【００３８】
ステップＳ１では、ビル内利用者制御部１１が、システム時間と利用者の発生時間とを比較する。ビル内利用者制御部１１は、システム時間が利用者の発生時間と一致している場合には後述する利用者発生処理（ステップＳ２）を実行する一方、システム時間が利用者の発生時間と不一致の場合には後述するステップＳ３を実行する。
【００３９】
ここで、利用者の発生時間は、利用者設定部１によって事前に作成された利用者データに基づいて設定される。利用者データは、発生時間、利用者属性、歩行時間、発生階、発生場所、目的階、または目的場所という項目を含み、これらの項目がシミュレーション対象の人数分シミュレーション用に作成される。
【００４０】
ステップＳ３では、ビル内利用者制御部１１が、利用者がホール（乗り場）に到着したか否かを判定し、利用者がホールに到着していない場合には利用者発生処理を終了する一方、利用者がホールに到着している場合には乗り場利用者発生処理を実行する（ステップＳ４）。この乗り場利用者発生処理では、ビル内利用者制御部１１が乗り場において利用者を模擬的に発生させる。
【００４１】
図３は、登録判定処理の手順の一例を示す。本処理は、ビル内利用者制御部１１によって実行される。ステップＳ１１では、ビル内利用者制御部１１が、エレベーター設備の仕様がゲート連動仕様であるか否か判定する。ビル内利用者制御部１１は、エレベーター設備の仕様がゲート連動仕様である場合には後述する装置登録処理を実施する一方（ステップＳ１４）、エレベーター設備の仕様がゲート連動仕様でなければステップＳ１２を実行する。
【００４２】
このステップＳ１２では、ビル内利用者制御部１１が、行き先階登録装置が設置されているか否か判定する。行き先階登録装置が設置されている場合には後述する装置利用者待機処理を実施する一方（ステップＳ１５）、行き先階登録装置が設置されていない場合には次のようなステップＳ１３を実行する。
【００４３】
ステップＳ１３では、ビル内利用者制御部１１が、エレベーター設備の仕様が上下式の乗り場ボタンが設置された仕様（以下「上下式の乗り場ボタン仕様」ともいう）であるかである否か判定する。エレベーター設備の仕様が上下式の乗り場ボタン仕様である場合には後述する乗り場ボタン登録処理を実行する（ステップＳ１６）。
【００４４】
具体的には、ビル内利用者制御部１１は、発生階のエレベーター乗り場に設置されている上下式ボタンの応答灯が点灯しているか判定する（ステップＳ１３）。応答灯が点灯していない場合、ビル内利用者制御部１１は、発生階よりも目的階が上方階であったときには、上方向へのサービス要求として上方向ボタンが押下されたものとみなす一方、発生階よりも目的階が下方階であったときには、下方向へのサービス要求として下方向ボタンが押下されたものとみなす。目的階の登録が完了すると、後述するホール待機処理（図１１参照）が実行される。
【００４５】
図４は、図３に示す装置登録処理の手順の一例を示す。本処理は、ビル内利用者制御部１１によって実行される。ステップＳ２１では、ビル内利用者制御部１１が、利用可能な装置が存在するか否かを判定する。本実施の形態では、例えば、図示しない利用者データテーブルを用意し、装置を利用している利用者がいれば、ビル内利用者制御部１１が、当該利用者データテーブルに当該利用者に対応する利用者データを登録する。
【００４６】
この利用者データテーブルに利用者データが登録されている場合、利用者が、当該利用者データに該当する装置を利用しており装置の空きがないことを示している。一方、その利用者データテーブルに利用者データが登録されていない場合、当該装置を利用可能であることを示している。利用可能な装置が存在する場合には行先階登録処理が実施される（ステップＳ２４）。一方、利用可能な装置が存在しない場合には次のようなステップＳ２２が実行される。
【００４７】
このステップＳ２２では、ビル内利用者制御部１１が、最も整列が少ない装置を選択する。上述した利用者データテーブルは、装置毎に設けられているものとする。利用者データテーブルに利用者データが登録されている場合には現在空きが無く利用できない装置であると認識することは、前述のとおりであるが、整列を模擬するため、登録が未完了であるが既に発生しており装置前に到着している利用者について、ビル内利用者制御部１１が、登録済みのデータ数が少ない利用者データテーブルを選択し、利用者データを登録する。即ち、利用者が最も整列数の少ない装置前に整列することを示す。ビル内利用者制御部１１は、同一の利用者数の場合には、例えば１号機から６号機までの装置ＩＤがより小さい装置を選択する。このように選択が完了すると、次のようなステップＳ２３が実行される。
【００４８】
このステップＳ２３では、ビル内利用者制御部１１が装置待機利用者数に＋１を加算する。これにより、待機している利用者の人数を明確にすることを可能とする。以上のような処理が完了すると、ビル内利用者制御部１１は次のような装置利用者待機処理を実施する（ステップＳ２５）。
【００４９】
図５は、図４に示す装置利用者待機処理の一例を示す。本処理は、ビル内利用者制御部１１によって実行される。ステップＳ３１では、ビル内利用者制御部１１が、利用者自身が０番目の整列者であるか否か判定する。これは、利用者が装置前で先頭に位置しているか否かを判定することを示している。利用者が先頭である場合には、装置の許可が可能、即ち、例えば、ゲート連動仕様である場合にはゲートへの操作が可能となる一方、行き先階登録装置仕様である場合には、行先階の入力が可能となる。
【００５０】
先頭であるか否かの確認については、ビル内利用者制御部１１が、利用者データテーブル（のテーブルＮｏ）を参照し、利用者が０番目であるか否かを判定する。利用者が０番目であった場合、ビル内利用者制御部１１が後述する行先階登録処理（図６参照）を実行する（ステップＳ３３）。ビル内利用者制御部１１は、行き先階登録処理を完了すると、ｎを更新する（ステップＳ３６）。一方、利用者が０番目の利用者でなかった場合、ビル内利用者制御部１１が次のようなステップＳ３２を実行する。
【００５１】
このステップＳ３２では、ビル内利用者制御部１１が、ｎ−１番目の利用者が存在するかを判定する。利用者データテーブルにおいて先頭利用者はｎ＝０の利用者であるものとすると、ｎが更新された際に、ｎ−１番目の利用者は整列している利用者の前に存在する利用者を示す。ｎ＝１は先頭の次に整列している利用者のデータであることを示し、ｎ−１番目の利用者は先頭利用者であることを示す。
【００５２】
上述した行先階登録処理（ステップＳ３３）において利用者の登録が完了することより装置の前から利用者が存在しなくなると、当然ながら、先頭利用者はいないことになる。これをシミュレーションすると、利用者データテーブルにおいてｎ＝０番目の利用者データが０或いはＮＵＬＬとなるため、ｎ−１番目の利用者が存在しないことを意味する。ｎ−１番目の利用者が存在する場合には次のようなステップＳ３４が実行される一方、ｎ−１番目の利用者が存在しない場合には後述するステップＳ３５が実行される。
【００５３】
このステップＳ３４では待機処理が実行される。整列している利用者が存在しているため、即ち、目の前に利用者がいる状況のため、動作として何も行わないが、利用者データテーブル（のテーブルＮｏ）の更新のみが実施される。このような処理が完了すると、後述するステップＳ３７が実行される。
【００５４】
ステップＳ３５では、ｎ−１番目の利用者がｎ番目の利用者に更新される。これは、利用者同士が整列している状況において目の前の利用者がいなくなった場合、その次の利用者が列を詰める作業に相当する。利用者データテーブル上では、空となっているｎ−１番目の利用者データがｎ番目の利用者データを用いて上書きコピーされる。その後、ｎ番目の利用者データが０またはＮＵＬＬにされることにより、利用者同士が整列している状況を模擬可能となる。更新を完了すると、ステップＳ３６が実行される。
【００５５】
ステップＳ３６では、ｎが＋１更新される。例えばｎ＝１であった場合、ｎ＝２とすることにより更新作業が実行される。このような更新作業が完了すると、次のようなステップＳ３７が実行される。
【００５６】
このステップＳ３７では、ｎが待機利用者数と同等、或いは待機利用者数以上の値となっているか判定する。条件が合致すれば、終了し、合致しなければ、利用者の待機利用者が存在することを意味するため、ステップＳ３１が実行される。
【００５７】
図６は、図４に示す行先階登録処理の一例を示す。本処理は、ビル内利用者制御部１１によって実行される。ステップＳ４１では、入力装置１２を用いて利用者属性情報及び行先階情報が登録される。通常、ゲートにかざされるカードが保有するＩＤに対して利用者の情報が関連付けられている。ゲート連動時には、ゲートのセキュリティシステム側から、一般利用者、車イス利用者またはＶＩＰ等の利用者情報の他にも利用者の目的階がエレベーター側の行き先階予約システムに送信される。
【００５８】
但し、本シミュレーションにおいては、簡易に処理するため、予め利用者データが、各利用者ごとに利用者情報及び行先階情報を有するものとする。必要な情報が入力装置１２に対して入力される。入力装置１２が保有する共有メモリ上に必要な情報が格納される。その後エレベーター側へのサービス要求の登録が完了する。以上のような入力が完了すると、ステップＳ４２が実行される。
【００５９】
ステップＳ４２では、割当て号機情報が付与されたか否かが判定される。ゲート連動仕様、行先階登録装置仕様時及び入力情報が入力された後、エレベーター側から入力情報に基づいてサービス号機が決定される。当該決定されたサービス号機を割り当てて号機情報が発信される。
【００６０】
シミュレーション上、乗り場出力装置１５が保有する共有メモリ上に必要な情報を格納することで、エレベーター側の行き先階予約システムから利用者に対する案内を模擬的に実施する。ビル内利用者制御部１１は、割り当て号機が付与されられたか否かを判断する（ステップＳ４２）。
【００６１】
割り当て号機が付与されている場合、後述する利用者更新処理（図８参照）が実施される（ステップＳ４３）。この利用者更新処理が完了すると、行き先階登録処理が終了する。
【００６２】
一方、割り当て号機が付与されていない場合、後述する割当て号機待機処理（図７参照）が実施される（ステップＳ４４）。この割り当て号機待機処理が完了すると、行き先階登録処理が終了する。
【００６３】
図７は、図６に示す割当て号機待機処理の一例を示す。本処理は、ビル内利用者制御部１１によって実行される。ステップＳ５１では、一定時間が経過したか否かが判定される。ここで、通常のエレベーター側の行先階予約システムであれば、行先階登録装置による行き先階の登録によって入力処理、または、ゲート連動時における入力処理が実施された後に、入力したにも拘わらず、サービス号機が割り当てされなかった場合、或いは、異常な表示がされた場合、利用者の動きとしては再度登録装置を用いて入力処理を実施しようとする。そのため、入力してから何かしらデータが出力されるまで利用者が待機することになる。既述の一定時間は、任意に決定することが可能であり、通常３秒程度に設定される。当該一定時間が経過した場合にはステップＳ５２が実行される一方、一定時間が経過していない場合にはそのまま待機するため、割り当て号機待機処理が終了する。
【００６４】
このステップＳ５２では、再登録処理が実施される。ここでは、図６のステップＳ４１と同様に、入力装置１２が保有する共有メモリ上に必要な情報が格納される。必要な情報の格納が完了すると、当該再登録処理が終了する。
【００６５】
図８は、図６に示す利用者更新処理の一例を示す。本処理は、ビル内利用者制御部１１によって実行される。ステップＳ６１では、ビル内利用者制御部１１が、乗り場出力装置１５により出力された割り当て号機情報を利用者データとして格納する。利用者のエレベーター乗車処理時に割り当て号機情報が利用されるため、利用者毎に割り当て号機情報が保有可能となるようにデータ構成が用意される。
【００６６】
ステップＳ６２では、ビル内利用者制御部１１が、０番目の利用者情報を削除する。ここで削除するのは、利用者情報そのものでなく、例えば、整列を模擬するために装置ごとに作成される利用者データテーブルである。これは、装置の登録を実施した後に割り当て号機が付与されると、利用者は、割り当て号機に向かって歩行するため、装置前には整列しなくなるためである。本動作を模擬するため、整列用の利用者データテーブルから０番目の利用者情報が削除される。
【００６７】
ステップＳ６３では、ビル内利用者制御部１１が、登録完了時間を現在のシステム時間に更新する。ビル内利用者制御部１１は、後述する総合評価において本時間を利用し、登録完了時間から発生時間を差し引くことにより、登録時間を算出することができる。その後、次のような乗り場歩行処理（図９参照）が実施される（ステップＳ６４）。
【００６８】
図９は、図８に示す乗り場歩行処理の一例を示すとともに、図１０は、図９に示す歩行判定処理の一例を示す。なお、これらの処理は、ビル内利用者制御部１１によって実行される。
【００６９】
図９のステップＳ７１では、ビル内利用者制御部１１が、登録されている距離から乗り場までの距離ＬＨを取得する。距離情報として、事前に装置を設定した時点で、各号機との距離が設定されている。割り当て号機が決定された時点で、事前に設定された距離情報が取得される。例えば、乗り場装置のレイアウトを設定した際に、装置の中心座標位置と、各号機の中心位置の座標位置とから、距離ＬＨが算出される。即ち、エレベーター設備設定部３によって設定された時点で、距離ＬＨが自動的に算出される。ビル内利用者制御部１１は、割り当て号機情報に基づいて、上述のように設定された距離情報を利用者情報に含めている。
【００７０】
ステップＳ７２では、ビル内利用者制御部１１が、歩行速度からシステム時間単位の歩行距離を取得する。システム時間が１００ｍｓ単位であった場合、１００ｍｓ単位で平均的な利用者が歩行する距離がメートル単位で算出される。
【００７１】
ステップＳ７３では、歩行判定処理（図１０参照）が実施される。このステップＳ７３は、ビル内利用者制御部１１が、利用者が歩行可能なスペースの有無について判定する。歩行可能なスペースの有無についての判定は、以下のようにいくつかの方法が考えられる。
【００７２】
第１の判定方法としては、例えば、ビル情報設定部２及びエレベーター設備設定部３によって設定されるビルのレイアウト及びサイズに応じて乗り場における最大利用者待機数並びに乗り場号機前利用者待機数が自動的に設定されることを例示することができる。本実施の形態では、最大利用者待機数と、実際の乗り場利用者待機数とが同値であった場合にはスペースがないものと判定される。
【００７３】
また、第２の判定方法としては、厳密に利用者の移動状況を模擬する方式を採用しても良い。この方式では、各利用者に対して占有サイズを決定し、各利用者の位置から各号機までの最短の移動経路が算出され、この移動経路に従って各利用者の移動が開始される。シミュレーション上、各利用者は、システム時間の更新に従って、前述した歩行距離分その移動経路上を移動する。その利用者の目の前に他の利用者が滞留していたり、障害物が存在しているため、その代わりに、他の移動経路上に利用者の占有サイズ分スペースが存在するか判定する方式でも良い。スペースが存在する場合にはステップＳ８２が実行される一方、スペースが存在しない場合にはステップＳ８５が実行される。
【００７４】
このステップＳ８２では、利用者の歩行方向に利用者が歩行可能なスペースが存在するか否かが判定される。例えば、乗り場入り口付近のエレベーターで複数の利用者が待っている状況を想定すると、当該乗り場においてその待機位置より奥のエレベーター前に移動する際、その利用者の目の前では他の利用者が滞留しているが、直線的な移動ではなく迂回することにより上記奥のエレベーター前に辿り着ける場合がある。上記のように、その利用者の目の前に他の利用者が滞留していない場合には、この利用者の歩行方向にスペースが存在すると判定され、当該利用者が直進することができるため、歩行判定処理を終了する。この利用者の目の前に他の利用者が滞留している場合、この利用者の歩行方向にスペースが存在しないと判定し、ステップＳ８３が実行される。なお、その代わりに、例えば、乗り場入り口付近のエレベーター待ち人数がある一定の閾値を超えた場合、この遊技者が直進することができないと判定し、利用者の歩行方向にスペースが存在しないと判定する方式でも良い。
【００７５】
ステップＳ８３では、ビル内利用者制御部１１が、登録した距離から乗り場までの距離ＬＨに対して、余分に歩行する距離を加算する。余分に歩行する距離とは、上記に記載した迂回する分の距離である。目の前の利用者の滞留状況を、閾値以上の待機人数×占有サイズによって迂回分の距離を算出し、当該距離を余分に歩行する距離とする。
【００７６】
ステップＳ８４では、ビル内利用者制御部１１が、ペナルティ１及びペナルティ２として、余分に歩行する距離に対して歩行速度をかけた値を加算する。これにより、この利用者が余分に歩いた時間がペナルティ１として、利用者毎に加えることが可能となる。その後この歩行判定処理が終了する。
【００７７】
一方、上述したステップＳ８５は、ステップＳ８１において利用者が歩行するスペースが存在しないと判定された場合であるため、その場で利用者は滞留している状態での処理となる。このステップＳ８５では、ビル内利用者制御部１１が、ペナルティ２として、滞留している時間分を加算する。また、ビル内利用者制御部１１は、ペナルティ１として、システム時間×歩行距離を算出してこれを加算する。これにより、後述するように、乗り場内での利用者の滞留時間を評価することが可能となる。その後歩行判定処理が終了する。
【００７８】
以上のような歩行判定処理が完了すると、ビル内利用者制御部１１は、利用者の移動距離Ｌｐｓｎを、式（（システム時間−登録時間）×歩行時間）−ペナルティ１、から算出する。
【００７９】
ステップＳ７５では、ビル内利用者制御部１１が、利用者の移動距離Ｌｐｓｎと、登録した距離から乗り場までの距離ＬＨとを比較し、目的地に到着したか否かについて判定する。両距離が同一であった場合、ビル内利用者制御部１１は、目的地に到着したと判定し、後述するホール待機処理（図１１参照）を実行し（ステップＳ７６）、その後ステップＳ７７を実行する。一方、両距離が同一ではなかった場合、この乗り場歩行処理が終了する。
【００８０】
上述したステップＳ７７では、利用者データとして、ホール到着時間が更新される。ホール到着時間は、現在のシステム時間をそのまま格納することで、後程発生時間をホール到着時間から減算すると、乗り場移動時間が評価可能となる。以上により、乗り場歩行処理を終了する。
【００８１】
図１１は、図９に示すホール待機処理の一例を示す。本処理は、ビル内利用者制御部１１によって実行される。ステップＳ９１では、サービス階表示が有るか否かが判定される。これは、エレベーター仕様設定部４によって設定されたか否かが判定される。例えば、エレベーター設備において一つのバンク内で高層階と低層階とでいわゆるバンク分割が行われている場合、利用者は、乗り場において所望の目的階にまでサービス可能ないずれかのバンクを選択する。そのため、乗り場には、看板またはサイン表示によるサービス階表示が明記されており、利用者は、そのような情報を参照して利用すべきいずれかのバンクを選択する。サービス階表示が有る場合にはステップＳ９２が実行される一方、サービス階表示がない場合にはステップＳ９３が実行される。
【００８２】
ステップＳ９２では、利用者が希望する行き先階をサービス可能な対象号機が選択される。例えば、利用者が１階〜１６階までのうち５階を目的階としており、エレベーター設備が６台の対象号機で構成されている場合、１〜３号機が１〜８階をサービス階とするとともに、４〜６号機が９〜１６階のサービス階であることを想定すると、当該利用者の対象号機は１〜３号機となる。対象号機の選択が完了すると、次のようなステップＳ９３が実行される。なお、本実施の形態では、割り当てられた対象号機を「割り当て号機」とも表現する。
【００８３】
このステップＳ９３では、割当て号機が付与されているか否かが確認される。割り当て号機が付与されている場合には次のようなステップＳ９４が実行される一方、割り当て号機が付与されていない場合には後述するステップＳ９７が実行される。
【００８４】
このステップＳ９４では、対象号機のホールランタンまたは停止階表示灯が点灯しているか否かが判定される。本シミュレーションでは、乗り場出力装置１５が保有する共有メモリ上の情報から判定される。割当て号機が付与された状態においてエレベーター側の行き先階予約システムは、正常に目的階が登録できているか乗り場出力装置１５の状況によって判定する。例えば目的階として５階を登録したはずが、例えば、別の階が表示されている場合、または、何も表示されていない場合には再登録が必要となる。
【００８５】
エレベーターの制御パラメータの設定ミスを正しくシミュレーションすることを考慮すると、例えば、利用者が乗車しようとしたが、乗車前にエレベーターのドアが閉まった場合、ホールランタン及び停止階表示灯は消灯することから、再登録が必要となる。そのため、対象号機のホールランタン或いは停止階表示灯が点灯している場合、利用者が対象号機前に整列待機を行い（ステップＳ９５）、本ホール待機処理が終了する。対象号機のホールランタン或いは停止階表示灯が消灯している場合には行先階登録処理が実行される（ステップＳ９６）。ここでの行き先階登録処理は、例えば、乗り場に設置されている行き先階登録装置が対象となる。
【００８６】
上述したステップＳ９７では、対象号機中のホールランタンが点灯しているか否かが判定される。本シミュレーション上では、乗り場出力装置１５が保有する共有メモリ上の情報に基づいて判定される。上下式ボタン仕様を想定した前述した一例の場合、１〜３号機中のホールランタンが点灯しているか否かが判定される。ホールランタンが点灯している場合、利用者はホールランタンの点灯により示唆された対象号機前に整列待機する（ステップＳ９８）。一方、ホールランタンが消灯している場合、次のようなステップＳ９９が実行される。
【００８７】
このステップＳ９９では、対象バンクの上下式ボタンの応答灯が点灯しているかが判定される。本シミュレーション上では、乗り場出力装置１５が保有する仮想メモリ上から判定する。上下式ボタン仕様の場合、一つのボタンを押下（登録）すると、連携するボタンが全て点灯する。そのため、ホールランタンが点灯しているか否か判定することで、乗り場からのサービス要求が入力されているか否かが判定可能である。
【００８８】
一方、ホールランタンは消灯しているが、乗り場ボタンが引き続き点灯している場合、即時予約機能がないため、どのエレベーターが到着しても利用者が整列可能なように整列位置は乗り場の中心となる。ホールランタンが点灯している場合、利用者が乗り場の中心位置に整列待機する（ステップＳ１００）。一方、ホールランタンが消灯している場合、乗り場上下式ボタンの再登録処理を実施する（ステップＳ１０１）。この乗り場上下式ボタンの再登録処理の処理内容は、既述のステップＳ１６と同様である。以上により、乗り場待機処理が終了する。
【００８９】
図１２は、整列待機処理の一例を示す。本処理は、ビル内利用者制御部１１によって実行される。ステップＳ１１１では、対象号機の対象方向のホールランタンが点滅したか否かが判定される。例えば、利用者が１号機を対象としている場合、乗り場である発生階が４階であり目的階が９階であったときには、上方向の移動方向となる。そのため、１号機が到着時上方向のドアは開かず、ランタンが点滅した状況を示す。ここで、２号機の到着時、及び、１号機の下方向のホールランタン点滅時は対象とならない。対象号機の対象方向のホールランタンが点滅した場合には次のようなステップＳ１１２が実行される一方、対象号機の対象方向のホールランタンが点滅しなかった場合には後述するステップＳ１１３が実行される。
【００９０】
このステップＳ１１２では、エレベーターの到着がホールランタンの点滅により示唆されるため、乗り場の利用者がホールランタンが点滅している号機前に整列したり、前の利用者との距離を詰める。
【００９１】
上述したステップＳ１１３では、対象号機が戸開したか否かが判定され、戸開した場合にはステップＳ１１４が実行される。一方、戸閉状態のままの場合、整列待機処理が終了され、次回のシステム起動まで待機する。
【００９２】
このステップＳ１１４では、対象号機への乗車可能人数分乗車処理が実施される。例えば、定員数が２０名、既に乗車している人数が１０名とした場合、定員に対する乗り込み率が８０％であったときには、乗車可能人数は、（２０×０．８）―１０＝６名となる。これにより、乗り場で待機している利用者が６名以下であれば全員乗車可能となり、乗り場で待機している利用者が７名以上の場合、６名を超える余った利用者については、図１１に示すホール待機処理の再登録処理の対象となる。
【００９３】
ステップＳ１１５では、乗り場で待機している利用者の乗車が完了した場合、乗車時間として現在のシステム時間が登録される。
【００９４】
以上により、利用者の乗り場での評価時間として、発生時間、登録完了時間、乗り場到着時間及び乗車時間が登録されている。これらの時間を利用して様々なシミュレーションの評価が可能となる。以上のようにビル内利用者制御部１１によって利用者の導線が模擬的に制御される。
【００９５】
図１３は、ゲート１０５の設置位置が悪い乗り場レイアウトのシミュレーション結果の一例を示す。なお、以下に示すシミュレーション結果では、後述する図１４〜図１９においても同様に、エレベーター設備の乗り場において各号機が、左上から左下に向けて１号機、２号機、３号機の順で配置しているとともに、右上から右下に向けて４号機、５号機及び６号機の順で配置しているものとする。
【００９６】
エレベーター１０１が所定の配列態様で設置され、ホールランタン１０２、乗り場行先階登録装置１０３が設置されており、２号機を対象号機とする利用者１０４が待機している。６号機を対象号機とする利用者１０６がホールランタン１０８の点灯号機前に滞留している。ある条件が重なると、ゲート１０５を通過する利用者１０７は、６号機に割り付けられた利用者１０６の滞留によって移動可能なスペースが存在しなくなる。そのため、利用者１０７の人数が増えると、ゲートに登録できない利用者１０７が増加し、エレベーターはサービス可能号機が存在するものの、登録までに要した時間が他のシミュレーション条件、仕様に比べて悪化する結果となる。
【００９７】
図１４は、ゲート２０５の設置位置が良い乗り場レイアウトのシミュレーション結果を表す。図示の乗り場レイアウトは、図１３に示す乗り場レイアウトと比較した場合、エレベーター２０１からゲート２０５までのスペースに余裕がある。
【００９８】
このため、図１４に示すようにゲート２０５に最も近くかつ多数の利用者２０４が、ある号機（「６号機」を例示する）で待機するように割り付けられている状態であっても、ゲート２０５を通過した利用者２０６が歩行可能なスペースが存在する。従って、新たに入場する利用者２０６の人数が増加した場合でも、ゲート２０５に割り付けるように登録できない利用者の人数が増加することがないため、エレベーターの性能を十分発揮することが可能となる。これにより、登録までに要した時間が余分に増えることなく、良い評価結果となる。
【００９９】
図１５は、図１４と比較した場合、ゲート３０１の設置台数が極端に少ない乗り場レイアウトを示す。図１４に例示するゲート２０５の数（２台）よりもゲート３０１の数が半分（１台）と少ないため、ゲート３０１において利用者３０２の整列による滞留が生じ易く、ゲート３０１を通過できる利用者の人数に制限が生ずる。そのため、ゲート３０１に割り付けるように登録ができない利用者３０２の人数が増加し、エレベーターはサービス可能号機が存在し易い状況ながらも、登録までに要した時間が他のシミュレーション条件、仕様に比べて悪化する結果となる。
【０１００】
図１６は、乗り場上下式ボタンが設置されておりホールランタン４０２を即時に点灯する仕様でのシミュレーションを実施しているレイアウトを示す。上下式乗り場ボタン４０１が押下されると、その階の全ての上下式乗り場ボタン４０１が点灯する。この時、エレベーターは２号機に割り付けられた場合、２号機のホールランタン４０３が点灯する。２号機以外のホールランタン４０２は消灯している。特定の閾値までの人数の利用者４０４はホールランタン４０３が点灯している号機（２号機）の前に滞留する一方、当該特定の閾値を超えた待ち人数の利用者４０５は整列待機を行っているものと模擬される。
【０１０１】
図１７は、乗り場上下式ボタンが設置されているとともにホールランタンが即時に点灯しない仕様においてシミュレーションを実施した場合のレイアウトを示す。上下式乗り場ボタン５０１が押下されると、その階の全ての上下式乗り場ボタン５０１が点灯する。しかしながら２号機が割り付けられた場合でも２号機付近のホールランタン５０２は点灯しない。割り付けられた号機を認識できないため、図示のように利用者５０３は、乗り場の中央付近から整列待機を行う。
【０１０２】
図１８は、乗り場上下式ボタンが設置されているとともにホールランタンが即時に点灯される仕様において、車イスエレベーターが１号機であった場合のシミュレーション結果の一例を示す。上下式乗り場ボタン６０１が押下されると、その階の全ての上下式乗り場ボタン６０１が点灯する。２号機が割り付けられた場合、２号機のホールランタン６０２が点灯する。車イス利用者６０３は、１号機付近にある車イス乗り場ボタンを押下し、図示のように整列する。そのため、車イス利用者６０３の登録までに要した時間が長くなる悪い評価結果となる。
【０１０３】
図１９は、乗り場上下式ボタンが設置されているとともにホールランタン７０２を即時に点灯する仕様において、車イスエレベーターが３号機である場合のシミュレーション結果の一例を示す。
【０１０４】
上下式乗り場ボタン７０１が押下されると、その階の全ての上下式乗り場ボタン７０１が点灯する。この時、２号機が割り付けられた場合、２号機のホールランタン７０２が点灯される。例えば車イス利用者７０３は、３号機付近にある車イス乗り場ボタン７０４の押下が可能となり、３号機が割り付けられる。そのため、３号機のホールランタン７０２が点灯するため、車イス利用者７０３は早めに登録することが可能となり、登録までに要した時間が短くなるため良い評価となる。
【０１０５】
（３）本実施の形態の効果等
以上説明したように、上記実施の形態におけるエレベーターシミュレーターでは、ビル内利用者制御部１１が、エレベーター情報及びビル情報に応じた行動を利用者が取るように模擬的に利用者を発生させつつシミュレーションを実施する。
【０１０６】
このような構成によれば、ビル設備の設置による影響のみならず、エレベーター設備に関する仕様に関する利用者への影響や利用者の行動に関する影響をより正確に評価することができる。
【０１０７】
（４）その他の実施形態
上記実施形態は、本発明を説明するための例示であり、本発明をこれらの実施形態にのみ限定する趣旨ではない。本発明は、その趣旨を逸脱しない限り、様々な形態で実施することができる。例えば、上記実施形態では、各種プログラムの処理をシーケンシャルに説明したが、特にこれにこだわるものではない。従って、処理結果に矛盾が生じない限り、処理の順序を入れ替え又は並行動作するように構成しても良い。
【産業上の利用可能性】
【０１０８】
本発明は、エレベーター設備に応じたシミュレーションを実施するエレベーターシミュレーターに広く適用することができる。
【符号の説明】
【０１０９】
１……利用者設定部、２……ビル情報設定部、３……エレベーター設備設定部、４……エレベーター仕様設定部、５……時間帯設定部、１０……シミュレーション部、１１……ビル内利用者制御部、１２……入力装置、１３……エレベーター群管理制御部、１４……エレベーター制御部、１５……乗り場出力装置、１６……エレベーター、１７……総合評価出力部、１００……シミュレーションシステム。
【図１】
2018167966.tif 000003
【図２】
2018167966.tif 000004
【図３】
2018167966.tif 000005
【図４】
2018167966.tif 000006
【図５】
2018167966.tif 000007
【図６】
2018167966.tif 000008
【図７】
2018167966.tif 000009
【図８】
2018167966.tif 000010
【図９】
2018167966.tif 000011
【図１０】
2018167966.tif 000012
【図１１】
2018167966.tif 000013
【図１２】
2018167966.tif 000014
【図１３】
2018167966.tif 000015
【図１４】
2018167966.tif 000016
【図１５】
2018167966.tif 000017
【図１６】
2018167966.tif 000018
【図１７】
2018167966.tif 000019
【図１８】
2018167966.tif 000020
【図１９】
2018167966.tif 000021